(57)【要約】【課題】座金がドアに固定されたものか浮くものかにかかわらず、サムターンに容易に取り付けることのでき、不正解錠を有効に防止できる防犯用鍵カバーを提供すること。【解決手段】部屋内部から鍵の施錠、解錠を行うためのサムターン１４と、サムターンの回動動作の台座となる座金１３とを含む鍵装置の防犯用鍵カバーにおいて、サムターンへの押し付け動作によりサムターンに嵌合させるための嵌合凹部１２を有し、正面視略円形の外形状を有し、嵌合状態で前記サムターン１４全体を覆うとともにサムターン１４と一体的に回動可能とされている。【選択図】  図１
2004218278.tif 000002
【特許請求の範囲】
【請求項１】
部屋内部から鍵の施錠、解錠を行うためのサムターンと、サムターンの回動動作の台座となる座金とを含む鍵装置の防犯用鍵カバーにおいて、
前記サムターンへの押し付け動作によりサムターンに嵌合させるための嵌合凹部を有し、
正面視略円形の外形状を有し、前記嵌合状態で前記サムターン全体を覆うとともに前記サムターンと一体的に回動可能とされたことを特徴とする防犯用鍵カバー。
【請求項２】
有底の略円柱形状の基本形状を有し、一方の底部に前記嵌合凹部が形成されたことを特徴とする請求項１に記載の防犯用鍵カバー。
【請求項３】
略球体の基本形状を有し、前記嵌合凹部の形成された平面部が一部に設けられたことを特徴とする請求項１に記載の防犯用鍵カバー。
【請求項４】
部屋内部から鍵の施錠、解錠を行うためのサムターンと、サムターンの回動動作の台座となる座金とを含む鍵装置の防犯用鍵カバーにおいて、
一端側に略円柱形状部を有し、他端側に拡径部を有し、前記一端側の底面部には前記サムターンへの押し付け動作によりサムターンに嵌合させるための嵌合凹部が設けられ、該嵌合状態で少なくとも前記サムターン全体を覆う第１装着部と、
両端が開放された略円筒形状を有し、前記第１装着部の略円柱形状部のほぼ全体を挿入可能な第２装着部と、を有し、
前記第１装着部は、前記第２装着部への挿入状態で前記サムターンへ嵌合され、該嵌合状態で前記第２装着部は前記第１装着部の略円柱形状部の周囲で回動自在となっていることを特徴とする防犯用鍵カバー。
【請求項５】
前記拡径部は先端へ向かって径の小さくなる形状を有することを特徴とする請求項４に記載の防犯用鍵カバー。
【発明の詳細な説明】
【０００１】
【発明の属する技術分野】
本発明は、防犯用鍵カバー、特に住宅等におけるドアに設置された鍵の外部からの不正解錠を防止する防犯用鍵カバーに関するものである。
【０００２】
【従来の技術】
住宅等におけるドアの鍵の形態としては、外側は鍵穴を有しキーを差し込むことにより施錠及び解錠を行う。一方、内側は座金とサムターンとを有し、サムターンを手動で回すことにより、施錠及び解錠を行う。近時、このドアに設けられた鍵について、「サムターン回し」という手段により、外部から不正に鍵を解錠するという犯罪が増加している。この不正解錠である「サムターン回し」の概要を図７に示した。通常、ドア１０１と戸口１０２との間には必ず所定の隙間１０４を有している。この隙間１０４から例えば、Ｌ字に折り曲げた針金１０６をドア外部から内部に差し込む。この差し込んだ針金１０６でドア内側のサムターン１０８を回し、鍵の不正解錠を行うものである。
【０００３】
図８は、不正解錠である「サムターン回し」の別の態様を示したものである。これは、外部から鍵の脇にドリルで穴１１０をあけ、この穴１１０から、Ｌ字に曲がる特殊な棒１１２を差し込み、サムターン１０８を回すものである。
【０００４】
上記方法によるとドアの鍵は針金１０６等を使用した場合で十秒から数十秒で解錠されるといわれており、ドリルを使用した場合でも数分で解錠されるといわれている。また、通常の住宅用ドアのサムターン等の構造はこの不正解錠を防止できる構造になっておらず、被害は大変な数になっている。
【０００５】
この不正解錠を防止する技術としては、図９に示した装置がある（株式会社長沢製作所パンフレットより）。これは、ドア内側の座金及びサムターン部に取り付けるもので、ベース１１４を座金１１６とドアとの間に挟み込み、その上からカバー１１８を被せ、ビス止めするものである。サムターンを覆うカバー１１８の蓋部１２０の存在により、針金１０６等によって簡単に解錠することはできない。また、蓋部１２０は内側にてサムターンを挟持しているので、蓋部１２０を回すことによりサムターンを操作することができる。
【０００６】
【発明が解決しようとする課題】
しかし、図９の装置では取り付ける際座金１１６を浮かせる必要が有り、座金１１６がドアに固定されているものには適用できない（鍵の形式として座金１１６が浮くものと浮かないものが存在する）。また、構成物品が多くの部材からなっており、取り付け、取り外しが煩雑であるという問題がある。
【０００７】
本発明は、上記課題に鑑みてなされたものであり、その目的は、座金がドアに固定されたものか浮くものかにかかわらず、サムターンに容易に取り付けることのできる防犯用鍵カバーを提供することにある。
【０００８】
【課題を解決するための手段】
上記目的を達成する請求項１に記載の防犯用鍵カバーの発明は、サムターンと、座金とを含む鍵装置の防犯用鍵カバーにおいて、サムターンへの押し付け動作によりサムターンに嵌合させるための嵌合凹部を有し、正面視略円形の外形状を有し、嵌合状態でサムターン全体を覆うとともにサムターンと一体的に回動可能とされたことを特徴とする。
【０００９】
請求項１の発明によると、防犯用鍵カバーに形成された嵌合凹部をサムターンに押しつければ容易に取り付けることができる。また、この防犯用鍵カバーを取り付けた状態から引っ張れば容易に取り外すことができる。従って、鍵の座金がドアに固定されたものか否かにかかわらず、本発明に係る防犯用鍵カバーを容易に適用できる。また、この防犯用鍵カバーを回せばサムターンも回るので、居住者はこの防犯用鍵カバーを取り付けた状態でも施錠、解錠の操作が容易である。
【００１０】
請求項２に記載の防犯用鍵カバーの発明は、請求項１に記載の防犯用鍵カバーであって、有底の略円柱形状の基本形状を有し、一方の底部に前記嵌合凹部が形成されたことを特徴とする。
【００１１】
請求項２の発明は、請求項１に記載の防犯用鍵カバー形状を規定したものである。すなわち、防犯用鍵カバー形状を有底の略円柱形状の基本形状とすることにより、この防犯用鍵カバーを持ちやすくしたものである。このことより、防犯用鍵カバーの取り付け、取り外し及び防犯用鍵カバーを取り付けた状態での施錠、解錠の操作の容易性を確保するものである。また、上述した不正解錠の際針金等がサムターンに掛からないようにしたものである。
【００１２】
請求項３に記載の防犯用鍵カバーの発明は、請求項１に記載の防犯用鍵カバーであって、略球体の基本形状を有し、前記嵌合凹部の形成された平面部が一部に設けられたことを特徴とする。
【００１３】
請求項３の発明は、請求項１に記載の防犯用鍵カバー形状を規定したものである。すなわち、防犯用鍵カバー形状を略球体の基本形状とすることにより、この防犯用鍵カバーを持ちやすくしたものである。このことより、防犯用鍵カバーの取り付け、取り外し及び防犯用鍵カバーを取り付けた状態での施錠、解錠の操作の容易性を確保するものである。また、上述した不正解錠の際針金等がサムターンに掛からないようにしたものである。
【００１４】
請求項４に記載の防犯用鍵カバーの発明は、サムターンと、座金とを含む鍵装置の防犯用鍵カバーにおいて、一端側に略円柱形状部を有し、他端側に拡径部を有し、一端側の底面部にはサムターンに嵌合させるための嵌合凹部が設けられ、嵌合状態で少なくともサムターン全体を覆う第１装着部と、両端が開放された略円筒形状を有し、第１装着部の略円柱形状部のほぼ全体を挿入可能な第２装着部と、を有し、第１装着部は、第２装着部への挿入状態で前記サムターンへ嵌合され、第２装着部は第１装着部の略円柱形状部の周囲で回動自在となっていることを特徴とする。
【００１５】
請求項４に記載の発明によると、請求項１の発明同様、サムターンへの取り付け、取り外しが容易であり、取り付けられた状態では、略円柱形状部に装着された第２装着部は第１装着部に対して回動自在、すなわち、から回りする状態になっている。これにより外部からの不正解錠用具を第２装着部に係止させてもサムターンを回すことはできず、不正解錠はより確実に防止される。また、第１装着部について、第２装着部が被せられていない部位である拡径部を操作することにより、居住者は容易に施錠及び解錠ができる。
【００１６】
請求項５に記載の防犯用鍵カバーの発明は、請求項４に記載の防犯用鍵カバーであって、拡径部は先端へ向かって径の小さくなる形状を有することを特徴とする。
【００１７】
請求項５の発明によれば、拡径部においても上述した針金等の掛かる部位がない構造が確保され、不正解錠を確実に防止できる。
【００１８】
【発明の実施の形態】
以下、図面に基づいて本発明による防犯用鍵カバーの実施の形態を詳細に説明する。図１は、本発明に係る防犯用鍵カバーの実施の形態を示しており。同図（Ａ）はサムターン１４に被せる側から、同図（Ｂ）はサムターン１４側から見た斜視図でありまた、同図（Ｃ）は嵌合凹部１２側から見た正面図を示している。
【００１９】
防犯用鍵カバー１０は略円柱状の形状を有しており、防犯用鍵カバー１０の一方の底面には嵌合凹部１２が形成されている（同図Ｂ、Ｃ参照）。図示したように、嵌合凹部１２は防犯用鍵カバー１０の内側にリブ１６を設け、その中央部にサムターン１４と嵌合する嵌合凹部１２が形成されている。同図（Ａ）に破線で示した座金１３上のサムターン１４に嵌合凹部１２が押し付け動作（矢印１００方向）により嵌合されるものである。
【００２０】
図２は、防犯用鍵カバー１０がサムターン１４に取り付けられた状態での立面図であり、このように、防犯用鍵カバー１０は押し動作により嵌合されるだけなので、サムターン１４への取り付け、取りはずしが容易である。また、この状態で居住者が防犯用鍵カバー１０を回せばサムターン１４も一体的に回動するので、使用者が４〜６才の子供であっても容易に操作できる。
【００２１】
そして、重要なことは、防犯用鍵カバー１０は、略円柱状の外形を有しており、サムターン１４全体を被服しているので、針金１０６等を掛ける部位がなく（図７参照）、上記不正解錠を有効に防止できる。
【００２２】
図３及び図４は、本発明に係る防犯用鍵カバーの他の実施の形態を示している。本実施の形態では、防犯用鍵カバー１８は略球状の形をしている。そしてこの球形状の一部を平面部１８ａとし、この平面にサムターン１４と嵌合する嵌合凹部２０が形成されている。また、図４に示されたように、この防犯用鍵カバーは外部表面材２２と内部充填材２４とで構成されている。
【００２３】
この防犯用鍵カバー１８を取り付けるには、上記実施の形態と同様にサムターン１４に嵌合凹部２０を嵌合させるだけで足り、サムターン１４は防犯用カバー１８で全体が覆われる。サムターン１４への取り付け、取りはずしの容易性については上記実施の形態と同様である。本実施の形態で重要なことは防犯用鍵カバー１８の基本形状が球状であることから針金１０６等を掛ける部位がなく（図７参照）、上記不正解錠をより有効に防止できる。
【００２４】
本実施の形態での防犯用鍵カバー１８の製造材料としては、外部表面材２２については、例えばプラスチック等が好適である。また、嵌合凹部２０を形成する内部充填材２４としてはサムターン１４にしっかりと嵌合保持されるように、かつ居住者が防犯用鍵カバーを付けた状態でサムターン１４を操作できる強度を有するように、例えば外部表面材２２と同様プラスチック等にて形成するのが好適であり、ゴム等の弾性材や発砲スチロール等も適用可能である。
【００２５】
図５（Ａ）及び（Ｂ）は、本発明に係る防犯用鍵カバーの更に他の実施の形態を示している。同図（Ａ）は第１装着部３２の正面図、同図（Ｂ）は、第２装着部３８の正面図である。
【００２６】
このように、本実施の形態では防犯用鍵カバーは第１装着部３２と第２装着部３８とから構成されている。第１装着部３２は、一端側に断面が略円形である円柱形状部３２ａ、他端側に拡径部３２ｂを有している。拡径部３２ｂは、本実施の形態では、略球面形状に形成されている。
【００２７】
また、円柱形状部３２ａ側の底面３２ｃには、サムターンに嵌合する嵌合凹部３４が設けられており、本実施の形態では、更にサムターンの座金の部分を受け入れる座金用凹部３６が形成されている。
【００２８】
第２装着部３８は円筒形状を有しており、第１装着部３２の円柱形状部３２ａに被せ装着される構成、すなわち、円柱形状部３２ａを挿入可能な形状に形成されている。そして、装着した状態で円柱形状部３２ａの外周囲で自由に回動するようになっている。従って、第２装着部３８の長さＬは、円柱形状部３２ａの長さにほぼ等しく、両者の長さは、ドアの種類等により適宜選択される。また、第２装着部３８の内径Ｘは、からまわり可能とするため円柱形状部３２ａの径よりも若干大きくなっている。
【００２９】
なお、本実施の形態の鍵装置への取り付けは、まず、第１装着部３２の円柱形状部３２ａに第２装着部３８を被せ装着する（円柱形状部３２ａが第２装着部３８にて挿入される）。そして、そのまま嵌合凹部３４をサムターン１４に嵌合させる。この状態で座金１３も座金用凹部３６に収まり、サムターン１４及び座金１３は、第１装着部３２でほぼ全体が覆われた状態となる。
【００３０】
図６は、本実施の形態に係る防犯用鍵カバー２８がサムターン１４に取り付けられた状態が示されている。前述した不正解錠において、針金１０６等（図７参照）は通常、第２装着部３８に当たる。しかし、第２装着部３８は第１装着部３２に対して回動自在、すなわち、から回りする状態になっているので解錠できない。一方、居住者は拡径部３２ｂを操作することによりサムターン１４を容易に操作できる。
【００３１】
ここで、拡径部３２ｂの形状は、先端に向かって径が小さくなるように形成されるので、針金１０６等（図７参照）を掛ける部位がなく不正解錠を有効に防止できる。拡径部３２ｂの形状としては本実施の形態のように、略球面形状とする他、円錐形状や裁頭円錐形状にすることもできる。
【００３２】
本実施の形態での防犯用鍵カバー２８の製造材料としては、例えばプラスチック等が好適であるが、それに限られず、金属製のものを用いることもできる。
【００３３】
なお、本発明の構成は、上記各実施の形態の構成に限定されるものではなく、発明の要旨の範囲内で種々の変形が可能である。例えば、第２装着部３８の厚さは、上記図示したようなサイズに限定されるものではなく、種々変形調整が可能である。
【００３４】
【発明の効果】
以上説明したように、本発明に係る防犯用鍵カバーによれば、座金が浮く構造であるかにかかわらず、サムターンへの取り付け、取り外しが容易であり、また、取り付けた状態では不正解錠が有効に防止される。一方、居住者はこの防犯用鍵カバーをサムターンに取り付けた状態で容易にサムターンを操作できる。
【図面の簡単な説明】
【図１】本発明に係る防犯用鍵カバーの斜視図である。
【図２】図１の防犯用鍵カバーをサムターンに取り付けた状態での立面図である。
【図３】本発明に係る防犯用鍵カバーの他の実施の形態を示した立面図である。
【図４】図３に示した防犯用鍵カバーの断面図である。
【図５】（Ａ）及び（Ｂ）は本発明に係る防犯用鍵カバーの更に他の実施の形態の構成部材の正面図である。
【図６】図５に示した防犯用鍵カバーをサムターンに取り付けた状態の概略の立面図である。
【図７】不正解錠の実施の形態である。
【図８】不正解錠の他の実施の形態である。
【図９】従来技術を示した図である。
【符号の説明】
１０  防犯用鍵カバー
１２  嵌合凹部
１３  台座
１４  サムターン
１８  防犯用鍵カバー
１８ａ  平面部
２０  嵌合凹部
２８  防犯用鍵カバー
３２  第１装着部
３２ａ  円柱形状部
３２ｂ  拡径部
３４  嵌合凹部
３６  座金用凹部
３８  第２装着部
【図１】
2004218278.tif 000003
【図２】
2004218278.tif 000004
【図３】
2004218278.tif 000005
【図４】
2004218278.tif 000006
【図５】
2004218278.tif 000007
【図６】
2004218278.tif 000008
【図７】
2004218278.tif 000009
【図８】
2004218278.tif 000010
【図９】
2004218278.tif 000011